(57)【要約】      （修正有）【課題】手押し車の収納直立構造であって、折り畳んだ後、安定して直立させることができる収納直立構造を提供する。【解決手段】手押し車の収納直立構造は、手押し車本体、ブレーキ装置１２および直立装置１３を含む。手押し車本体は前輪フレームおよび後輪フレームを有する。ブレーキ装置１２は後輪フレームの後方に設けられ、ブレーキ台座１２１およびブレーキロッド１２２を有し、ブレーキロッド１２２内側に短い水平ロッド１２３が設けられる。直立装置１３は２つの固定片１３１および１つの直立ロッド１３２を有し、直立ロッド１３２の両側にノッチ１３３が設けられ、ブレーキ装置１２の短い水平ロッド１２３をノッチ１３３内に定位させる。これにより、手押し車本体を折り畳んだ後、ブレーキロッド１２２を踏み込むと、ブレーキロッド１２２の短い水平ロッド１２３はちょうど直立ロッド１３２のノッチ１３３の下方に位置する。【選択図】図３
0003221165.tif 000002
【実用新案登録請求の範囲】
【請求項１】
手押し車の収納直立構造であって、各種手押し車に応用され、
配置フレームを有し、前方の両側に前輪フレームが設けられ、後方の両側に後輪フレームが設けられ、前輪フレームおよび後輪フレームは枢着装置を介して接続され、前記枢着装置が上方に延伸してハンドルが設けられる手押し車本体と；
前記後輪フレームの後方に設けられ、両側に設けられるブレーキ台座と、前記ブレーキ台座間に設けられるブレーキロッドとを有し、前記ブレーキロッドは前記ブレーキ台座に対応して回転することができ、前記ブレーキロッドの両側が内部に向かって短い水平ロッドを延伸するブレーキ装置と；
２つの固定片および１つの直立ロッドを有し、前記２つの固定片はそれぞれ前記両側のブレーキ台座内側に設けられ、前記直立ロッドは前記両側の固定片の間に位置し、前記直立ロッドは前記固定片の内側で上、下に移動することができ、前記直立ロッドの両側にノッチが設けられ、ブレーキ装置の短い水平ロッドを前記ノッチ内に定位させる直立装置と；を含む手押し車の収納直立構造。
【請求項２】
前記ハンドル中央に設けられ、回転のロックを解除した後、下に下げて前記手押し車本体を折り畳む折畳制御装置をさらに含む、請求項１に記載の手押し車の収納直立構造。
【請求項３】
前記ブレーキロッド中央にペダルが設けられ、ペダルを下に回転させるとブレーキ状態であり、ペダルを上に回転させるとブレーキ状態が解除される、請求項１に記載の手押し車の収納直立構造。
【請求項４】
前記ブレーキロッドがブレーキ状態のとき、前記ブレーキロッド内側の短い水平ロッドは、ちょうど前記直立ロッドのノッチの下方に位置し、このとき直立ロッドを下に下げると、前記短い水平ロッドは直立ロッドのノッチ内に固定され、前記ブレーキロッドはもう回転することができない、請求項３に記載の手押し車の収納直立構造。
【請求項５】
前記配置フレームに配置かごまたはチャイルドシートを設置する、請求項１に記載の手押し車の収納直立構造。
【請求項６】
前記手押し車がペット用手押し車または乳幼児用手押し車である、請求項１に記載の手押し車の収納直立構造。
【考案の詳細な説明】
【技術分野】
【０００１】
本考案は手押し車の収納直立構造の技術に関し、特に各種手押し車の直立構造に応用することができ、手押し車を折り畳んだ後、安定して直立させることができ、折り畳んだ後の手押し車をどのような壁際または角にも収納することができ、収納空間をより節約した手押し車の収納直立構造を指す。
【背景技術】
【０００２】
ペット用手押し車および乳幼児用手押し車は、ペットおよび子供がいる人には最も基本的な備えである。ペット用手押し車により、飼い主は自分の家のペットを各場所に連れていくことができ、他の人に影響を及ぼすことはない。乳幼児用手押し車はあまり歩くことができない乳児または長く歩くことができない幼児を連れるのに便利な、座って移動することができる道具である。したがって、ペット用手押し車および乳幼児用手押し車はいずれも家にペットまたは幼児がいると不可欠な備えである。
【０００３】
既知のペット用手押し車または乳幼児用手押し車は、大部分が折り畳み可能な機能を有する。使用者が手押し車をしばらく使用しないとき、手押し車を比較的小さな体積に折り畳むことができ、比較的室内の空間を占有しない。しかし、既知の手押し車はたとえ折り畳んでも、地面に横にすることしかできず、直立させることができない。このように、折り畳んだ後の手押し車を室内の壁際または隅部分に安定して設置することができず、そのため空間を節約する目的を確かに達成することができず、これにより全体の実用性が低下している。
【０００４】
したがって、各種手押し車に取り付けることができ、手押し車を折り畳んだ後安定して直立させることができ、手押し車をより便利に室内の各壁際または隅部分に収納し、空間を節約する目的を確実に達成し、全体の実用性を高めたペット用手押し車または乳幼児用手押し車専用の直立構造をいかにして作製したかが、本考案が積極的に開示したい部分である。
【考案の概要】
【考案が解決しようとする課題】
【０００５】
本考案の目的は、手押し車の収納直立構造を提供することである。主に後輪の位置にブレーキ装置および直立装置を設置することができ、手押し車本体を折り畳んだ後、ブレーキ装置により後輪を回転させない以外に、直立装置により折り畳んだ後の手押し車本体を安定して直立させることができる。したがって、室内の各壁際または隅部分により便利に収納し、これにより空間を節約する目的を確実に達成し、全体の実用性を高めることができる。
【課題を解決するための手段】
【０００６】
上記目的を達成するため、本考案は手押し車の収納直立構造を提供し、各種手押し車に応用され、手押し車本体、ブレーキ装置および直立装置を含む。手押し車本体は配置フレームを有し、前方の両側に前輪フレームが設けられ、後方の両側に後輪フレームが設けられる。前輪フレームおよび後輪フレームは枢着装置を介して接続され、枢着装置が上方に延伸してハンドルが設けられる。ブレーキ装置は後輪フレームの後方に設けられ、ブレーキ装置は両側に設けられるブレーキ台座と、ブレーキ台座間に設けられるブレーキロッドとを有する。ブレーキロッドはブレーキ台座に対応して回転することができ、ブレーキロッドの両側は内部に向かって短い水平ロッドを延伸する。直立装置は２つの固定片および１つの直立ロッドを有し、２つの固定片はそれぞれ両側のブレーキ台座内側に設けられる。直立ロッドは両側の固定片の間に位置し、直立ロッドは固定片の内側で上、下に移動することができる。直立ロッドの両側にノッチが設けられ、ブレーキ装置の短い水平ロッドをノッチ内に定位させる。
【０００７】
好ましい実施例において、ハンドル中央に設けられ、回転のロックを解除した後、下に下げて手押し車本体を折り畳む折畳制御装置をさらに含む。
【０００８】
好ましい実施例において、ブレーキロッドの中央にペダルが設けられ、ペダルを下に回転させるとブレーキ状態であり、ペダルを上に回転させるとブレーキ状態が解除される。ブレーキロッドがブレーキ状態のとき、ブレーキロッド内側の短い水平ロッドは、ちょうど前記直立ロッドのノッチの下方に位置する。このとき直立ロッドを下に下げると、前記短い水平ロッドは直立ロッドのノッチ内に固定され、前記ブレーキロッドはもう回転することができない。
【図面の簡単な説明】
【０００９】
【図１】図１は、本考案の手押し車の収納直立構造における好ましい実施例の立体外観図である。
【図２】図２は、本考案の手押し車の収納直立構造におけるブレーキ装置および直立装置の立体分解図である。
【図３】図３は、本考案の手押し車の収納直立構造におけるブレーキ装置および直立装置の立体状態図である。
【図４】図４は、本考案のＡ部分の拡大図である。
【図５】図５は、本考案の手押し車の収納直立構造における好ましい実施例の折り畳み、直立させたときの側面図である。
【図６】図６は、本考案の手押し車の収納直立構造を折り畳んだ後、直立装置を直立させる前の概要図である。
【図７】図７は、本考案の手押し車の収納直立構造を折り畳んだ後、直立装置を直立させたときの概要図である。
【図８】図８は、本考案の手押し車の収納直立構造を折り畳んだ後、直立装置の直立をロックさせた状態の概要図である。
【考案を実施するための形態】
【００１０】
以下、特定の具体的な実施例により、本考案の実施方式を説明する。当業者は本考案で開示した内容により、本考案のその他の利点および効果を容易に理解することができる。
【００１１】
以下、図を参照して本考案の実施例を説明する。注意すべきこととして、以下の図は簡略化した概要図であり、概要の方式で本考案の基本的な構想を説明したに過ぎない。図中には本考案と関係する構造のみを例示し、実際に実施するときの部品の数、形状および寸法に基づいて描いていない。実際に実施するときの各部品の形態、数量および比率は図に制限されず、実際の設計の需要により変化させることができる。以上が先に説明すべきことである。
【００１２】
まず、図１、図２、図３および図４を参照されたい。図１、図２、図３および図４は、本考案の手押し車の収納直立構造における好ましい実施例の立体外観図、ブレーキ装置および直立装置の立体分解図、ブレーキ装置および直立装置の立体状態図、図３のＡ部分の拡大図である。図に示すように、本考案の手押し車の収納直立構造１は各種手押し車に応用され、手押し車本体１１、ブレーキ装置１２および直立装置１３を含む。手押し車本体１１は配置フレーム１１１を有し、前方の両側に前輪フレーム１１２が設けられ、後輪の両側に後輪フレーム１１３が設けられる。前輪フレーム１１２および後輪フレーム１１３は枢着装置１１４を介して接続され、枢着装置１１４が上方に延伸してハンドル１１５が設けられる。ブレーキ装置１２は後輪フレーム１１３の後方に設けられ、ブレーキ装置１２は両側に設けられるブレーキ台座１２１と、ブレーキ台座１２１間に設けられるブレーキロッド１２２とを有する。ブレーキロッド１２２はブレーキ台座１２１に対応して回転することができ、ブレーキロッド１２２の両側は内部に向かって短い水平ロッド１２３を延伸する。直立装置１３は２つの固定片１３１および１つの直立ロッド１３２を有し、２つの固定片１３１はそれぞれ両側のブレーキ台座１２１内側に設けられる。直立ロッド１３２は両側の固定片１３１の間に位置し、直立ロッド１３２は固定片１３１の内側で上、下に移動することができる。直立ロッド１３２の両側にノッチ１３３が設けられ、ブレーキ装置１２の短い水平ロッド１２３をノッチ１３３内に定位させる。
【００１３】
好ましい実施例において、ハンドル１１５中央に設けられ、回転のロックを解除した後、下に下げて前記手押し車本体１１を折り畳む折畳制御装置１４（図１を参照）をさらに含む。ブレーキロッド１２２の中央にペダル１２４が設けられ、ペダル１２４を下に回転させるとブレーキ状態であり、ペダル１２４を上に回転させるとブレーキ状態が解除される。ブレーキロッド１２２がブレーキ状態のとき、ブレーキロッド１２２内側の短い水平ロッド１２３は、ちょうど直立ロッド１３２のノッチ１３３の下方に位置する。このとき直立ロッド１３２を下に下げると、短い水平ロッド１２３は直立ロッド１３２のノッチ１３３内に固定され、ブレーキロッド１２２はもう回転することができず、同時に安定した直立状態を形成する。
【００１４】
図５、図６、図７および図８を参照されたい。図５、図６、図７および図８は、本考案の手押し車の収納直立構造における好ましい実施例の折り畳み、直立させたときの側面図、本考案の手押し車の収納直立構造を折り畳んだ後、直立装置を直立させる前の概要図、本考案の手押し車の収納直立構造を折り畳んだ後、直立装置を直立させたときの概要図、本考案の手押し車の収納直立構造を折り畳んだ後、直立装置の直立をロックさせた状態の概要図である。各図に示すように、本考案の手押し車の収納直立構造１は使用しないとき、折畳制御装置１４を回転させることにより、手押し車本体１１を扁平の直立状に折り畳むことができる。続いてブレーキロッド１２２中央のペダル１２４を踏み下ろすと、後輪を回転することができないブレーキ状態にし、ブレーキロッド１２２がブレーキ状態のとき、ブレーキロッド１２２内側の短い水平ロッド１２３はちょうど直立ロッド１３２のノッチ１３３の下方（図７に示す）に位置する。このとき直立ロッド１３２を下に下げると、短い水平ロッド１２３は直立ロッド１３２のノッチ１３３内（図８に示す）に固定され、ブレーキロッド１２２はもう上に回転することができない。同時にブレーキロッド１２２のペダル１２４は地面に平らに当接し、安定した直立状態を形成することができる（図５に示す）。
【００１５】
この構造設計により、本考案の手押し車の収納直立構造１は、使用しないとき、扁平な直立状に折り畳むことができるだけでなく、安定して直立させることができる。したがって折り畳み、直立させた後、室内のどの隅に収納することも、またはどの壁際に置くこともでき、ひっくり返る心配もない。空間をより占有せずに収納することができ、現代都市における狭小家庭の室内空間により適しており、これにより収納空間を節約する目的を達成し、現代人の使用のニーズにより符合し、近づく。
【００１６】
既知の技術と比較して、本考案の手押し車の収納直立構造は、主に手押し車本体を折り畳んだ後、安定して直立させることができ、使用者が収納および設置するのにより便利であり、収納空間を節約する目的を効果的に達成する。使用する上で、現代人のニーズにより近づき、これにより全体の実用性および利便性を高める。
【００１７】
前記の説明および図により、本考案の好ましい実施例をすでに開示したが、各種追加、多くの修正および置換は、本考案の好ましい実施例に使用することができ、添付の実用新案登録請求の範囲が画定する本考案の原理の主旨および範囲を逸脱しないことを理解しなければならない。当業者は、本考案が多くの形式、構造、配置、比率、材料、部品および組立品の修正に使用可能であることを理解することができる。したがって、本文で開示する実施例は、本考案を説明するものと判断するべきであり、本考案を制限するものではない。本考案の範囲は後に添付する実用新案登録請求の範囲により画定するべきであり、その合法的な均等物を包含し、先の説明に限定されない。
【符号の説明】
【００１８】
１      手押し車の収納直立構造
１１    手押し車本体
１１１  配置フレーム
１１２  前輪フレーム
１１３  後輪フレーム
１１４  枢着装置
１１５  ハンドル
１２    ブレーキ装置
１２１  ブレーキ台座
１２２  ブレーキロッド
１２３  短い水平ロッド
１２４  ペダル
１３    直立装置
１３１  固定片
１３２  直立ロッド
１３３  ノッチ
【図１】
0003221165.tif 000003
【図２】
0003221165.tif 000004
【図３】
0003221165.tif 000005
【図４】
0003221165.tif 000006
【図５】
0003221165.tif 000007
【図６】
0003221165.tif 000008
【図７】
0003221165.tif 000009
【図８】
0003221165.tif 000010